(57)【要約】【課題】廃棄物層２の内部の特に計画した所定の位置への気体、液体の供給、あるいは所定の位置からの気体、液体の吸引が可能とする。【解決手段】板状のスペーサ１１と、スペーサ１１の周囲を包囲する、通気性、通水性に優れた通気袋１２と、通気袋１２の周囲を包囲する、非通気性、非透水性の気密袋１３とによって吸排材を構成する。この板状吸排材１が廃棄物層２の内部に埋設してあり、かつこの板状吸排材１は、廃棄物層２の内部において、所定の位置だけ通気袋１２を露出させてあり、他の位置は気密袋１３によって被覆してある。【選択図】        図１
2005296761.tif 000002
【特許請求の範囲】
【請求項１】
板状のスペーサと、
スペーサの周囲を包囲する、通気性、通水性に優れた通気袋と、
通気袋の周囲を包囲する、非通気性、非透水性の気密袋とによって吸排材を構成し、
この板状吸排材が廃棄物層内に埋設してあり、
かつこの板状吸排材は、廃棄物層内において、
所定の位置だけ通気袋を露出させてあり、
他の位置は気密袋によって被覆してある板状吸排材である、
廃棄物最終処分場の構造。
【発明の詳細な説明】
【技術分野】
【０００１】
本発明は、廃棄物最終処分場の構造に関するものである。
【背景技術】
【０００２】
廃棄物層の内部に有孔管を埋設し、この有孔管を通して廃棄物層内の水を集めて排水したり、あるいは有孔管を通して廃棄物層内に気体を送り込むように構成した処分場の構造が知られている。
このような構造を採用すると、廃棄物層の内部に水や空気を送り込んで廃棄物の安定化を促進させたり、あるいは廃棄物層内部から発生するガスを効率的に回収することができる。
【特許文献１】特開２００１−１１３２３８号公報。
【発明の開示】
【発明が解決しようとする課題】
【０００３】
前記した従来の廃棄物最終処分場の構造にあっては、次のような問題点がある。
＜１＞  廃棄物層の内部に気体や液体を供給する場合に有孔管に加圧状態の気体や液体を供給する必要がある。その場合に有孔管に作用する圧力は、口元に近い方が大きく、距離に反比例して急激に圧力が低下する。
＜２＞  そのために口元の近くでは廃棄物層内に強い圧力の下で気体や液体を供給できるが、有孔管の先の方、すなわち廃棄物層の深い位置ではほとんど供給することができないという不都合が生じる。
＜３＞  廃棄物層の内部から、内部で発生した気体や液体を吸引して外部に排除する場合も同様に、口元付近の吸引力は強力であるが、有孔管の先の方ではほとんど吸引、回収ができないという不都合が生じる。
＜４＞  廃棄物の種類によっては、気体や液体の供給、あるいは気体や液体の吸引排除のすべては必ずしも必要ではない。しかし従来の方法であるとそのような供給や排出の選択が困難であり、必要のない位置にも加圧状態の気体や液体を供給し、あるいは吸引するといった不経済な状態が発生する可能性があった。
【課題を解決するための手段】
【０００４】
上記のような課題を解決するために、本発明の廃棄物最終処分場の構造は、板状のスペーサと、スペーサの周囲を包囲する、通気性、通水性に優れた通気袋と、通気袋の周囲を包囲する、非通気性、非透水性の気密袋とによって吸排材を構成し、この板状吸排材が廃棄物層の内部に埋設してあり、かつこの板状吸排材は、廃棄物層の内部において、所定の位置だけ通気袋を露出させてあり、他の位置は気密袋によって被覆してある板状吸排材である、廃棄物最終処分場の構造を特徴としたものである。
【発明の効果】
【０００５】
本発明の廃棄物最終処分場の構造は以上説明したようになるから次のような効果を得ることができる。
＜１＞  廃棄物層の内部の特に計画した所定の位置への気体、液体の供給、あるいは所定の位置からの気体、液体の吸引が可能である。
＜２＞  そのために、投入する廃棄物の種類に応じて供給、吸引排除の対策を立て、最良の対応を採用することができる。
＜３＞  供給、排除の不要な廃棄物層やブロックに対しては無用な気体や液体の供給、あるいは吸引を行うことがないから、経済的な処理を行うことができる。
＜４＞  計画した位置に通気袋を露出させることができるから、廃棄物層の中で特定の層やブロックを対象に気体の供給やガスの回収を行うことができ、廃棄物の早期の安定化を図ることができる。廃棄物の安定化の時間が短縮すれば、処分場の閉鎖から廃止までの期間が短縮し、その間の維持管理費用も削減することができる。
【発明を実施するための最良の形態】
【０００６】
以下図面を参照にしながら本発明の好適な実施の形態を詳細に説明する。
【実施例】
【０００７】
＜１＞板状吸排材１。
本発明の廃棄物最終処分場の構造は、廃棄物層２の内部に、板状吸排材１を配置して構成する。
この板状吸排材１は、板状のスペーサ１１と、通気袋１２と、気密袋１３によって構成する。
スペーサ１１は表面に凹凸を形成した板状体であり、可撓性を備えている。
例えば塩化ビニルあるいはポリエチレンによって、独立した突起を備えた板状体、あるいは長手方向に溝と峰とを並行に突設した板状体などによって構成することができる。
このスペーサ１１の周囲を、通気袋１２で包囲する。
この通気袋１２は、通気性、通水性に優れた素材によって構成する。
通気袋１２としては例えばポリエステル製の不織布の袋を採用することができる。
通気袋１２の周囲はさらに気密袋１３によって包囲する。
この気密袋１３は、非通気性、非透水性の材料によって構成する。
気密袋１３として、例えば遮水性ゴムシートなどを採用することができる。
【０００８】
＜２＞板状吸排材１の接続。
板状吸排材１の構造は上記したように簡単である。
したがって、一部の気密袋１３を切り裂き、そこに他の板状吸排材１の一端を挿入して周囲を面テープで固定すれば、簡単に枝分かれした板状吸排材１を形成することができる。
したがって、現場の状況に応じて板状吸排材１を分岐させて敷設し、その上から廃棄物を投入すれば、必要とする位置に設置することができる。
【０００９】
＜３＞通気位置の選択。
上記したように通気袋１２は気密袋１３によって包囲してあるから、そのままでは通気、通水を行うことができない。
そのために、通気袋１２は所定の位置だけ気密袋１３を取り除き、気密袋１３から通気袋１２が露出するように構成する。
気密袋１３から通気袋１２を露出させる位置は、図２の例のような板状吸排材１の先端だけでなく、板状吸排材１の中間位置において通気袋１２を露出させることもできる。
こうして通気袋１２を露出してある位置を選択することによって、廃棄物層２の内部において、通気位置、通水位置を選択することができる。
【００１０】
＜４＞板状吸排材１の敷設。
上記の構成の板状吸排材１を、廃棄物の投入に合わせてその表面に敷設し、その上からさらに廃棄物を投入することによって、廃棄物層２の内部に埋設する。
その場合に、板状吸排材１は十分な可撓性を備えているから、埋め立て中の廃棄物の傾斜面や水平面に連続して敷設することができる。
廃棄物が一定の量に達したらその表面に土を撒きだして覆土層５を形成して廃棄物の飛散や鳥や昆虫の飛来を阻止する。
【００１１】
＜５＞通気、通水位置の選択。
この場合に、板状吸排材１は廃棄物層２の内部において、所定の位置だけ通気袋１２を露出させておく。
廃棄物は、投入する作業においてその種類、特性を知ることができる。
そして廃棄物は、その種類や特性によって供給したり、排除したりする気体、液体の条件が異なるから、廃棄作業と並行して通気袋１２を露出させた位置を選択してゆく。
板状吸排材１は、通気袋１２を露出させた先端や中間の一部以外の位置は気密袋１３によって被覆してあるから、その途中で無駄に気体、液体を供給したり、吸引、排除したりすることがなく、通気袋１２の位置だけから気体、液体の供給、吸引、排除を行うことができる。
【００１２】
＜６＞通気、通水作業。
板状吸排材１の基端はパイプ３に接続する。
多数枚の板状吸排材１を取り付けたパイプ３は、ポンプなどの通気、注水施設４に接続する。
この施設４のポンプによって、通気、通水、排気、排水のための圧力をパイプ３に供給する。
加圧状態の気体や液体の供給を受けた板状吸排材１は、従来の構成であれば口元において最も高い圧力で、気体、液体を吐出することになる。
しかし本発明の板状吸排材１は、上記したように通気袋１２の露出部分を必要とする位置に選択して配置してある。
したがって口元で無駄に吐出することがなく、計画した所定の位置をねらった、通気、通水を行うことができる。
同様に、計画した特定の位置からの排気、排水を行うこともできる。
【００１３】
＜７＞通気と排気の併用。
上記したように廃棄物層２の内部には、途中を気密袋１３で包囲し、中間や先端に露出した通気袋１２を敷設してある。
そのためにひとつの通気袋１２から空気を供給し、計画して配置してある他の通気袋１２から気体を吸引すれば、予定した廃棄物層２を対象に効率のよい通気やガスの回収を行うことができる。
【００１４】
＜８＞対象とする廃棄物最終処分場。
本発明の構造は、新たに建設する廃棄物最終処分場だけではなく、埋め立てがすでに開始している廃棄物最終処分場や、すでに埋め立てが完了している廃棄物最終処分場においても採用することができる。
【図面の簡単な説明】
【００１５】
【図１】本発明の廃棄物最終処分場の構造の実施例の説明図。
【図２】板状吸排材の構成の説明図。
【図３】板状吸排材を敷設した実施例の説明図。
【符号の説明】
【００１６】
１：板状吸排材
２：廃棄物層
３：パイプ
４：通気、注水施設
１１：スペーサ
１２：通気袋
１３：気密袋
【図１】
2005296761.tif 000003
【図２】
2005296761.tif 000004
【図３】
2005296761.tif 000005